(57)【要約】【課題】広角な照射光束を有する発光ダイオードランプを提供する。【解決手段】発光ダイオード（ＬＥＤ）ランプ１は、外部のランプホルダーに軸線Ｚ方向沿いに装着する口金３と、軸線Ｚ方向の一側が口金３と気密に連結された中空状ハウジングとを備え、該ハウジングの口金３側のラッパ形状をしたケース２内に、軸線方向の一端部が口金３に電気的に接続された制御ベース４を収納している。バルブ座５は制御ベース４の軸線方向に垂直な平面４１から口金３の反対側のカバー８に向かって先細状に突き出た錐体又は錐台である。複数のＬＥＤ６１、６１、・・・、６２、６２、・・・（ＬＥＤ等６）のそれぞれが制御ベース４の他端部の平面４１及びバルブ座５の各斜面５１、５１、・・・に取り付けられ、制御ベース４に電気的に接続されている。【選択図】図１
0003159791.tif 000002
【実用新案登録請求の範囲】
【請求項１】
外部のランプホルダーに軸線方向沿いに装着する口金と、
前記軸線方向の一側が前記口金と気密に連結された中空状ハウジングとを備え、
該ハウジング内に、
前記口金側に収納され、前記軸線方向の一端部が前記口金に電気的に接続され、且つその他端部に前記軸線方向に垂直な平面を有する制御ベースと、
前記平面から前記口金の逆側に向かって先細状に突き出た錐体又は錐台をし、前記平面に対して所定の鈍角をなす斜面を有するバルブ座と、
それぞれが前記制御ベースの前記平面及び、前記バルブ座の各前記斜面に取り付けられ、前記制御ベースに電気的に接続された複数の発光ダイオードと、が設けられていることを特徴とする発光ダイオードランプ。
【請求項２】
さらに、光検出器が、外部の光度を検出することができるように、前記制御ベースに電気的に接続されていると共に、前記バルブ座の外面に取り付けられることを特徴とする請求項１に記載の発光ダイオードランプ。
【請求項３】
前記光検出器は、前記バルブ座の頂端部に設けられることを特徴とする請求項２に記載の発光ダイオードランプ。
【請求項４】
前記バルブ座は、複数の多角形斜面を有する角錐体又は角錐台であることを特徴とする請求項１に記載の発光ダイオードランプ。
【請求項５】
前記バルブ座は、円錐体又は円錐台であることを特徴とする請求項１に記載の発光ダイオードランプ。
【考案の詳細な説明】
【技術分野】
【０００１】
本考案は、光源としての発光ダイオード（以下、単にＬＥＤという）を用いたＬＥＤランプに関する。
【背景技術】
【０００２】
ＬＥＤは、白熱電球などの従来型の照明光源に比べて発熱量が少なく、寿命が長いなどの利点を備えているが、１個当たりの光度が弱いので、通常数個のＬＥＤを取り付けて明るさを確保している。
【０００３】
図６は、従来の口金付ＬＥＤランプの一例を示す斜視図である。この口金９１付ＬＥＤランプ９は、制御ベース９２の一面側に口金９１に電気的に接続されたＬＥＤを点灯させる点灯回路、リード線などを実装した基板（図示せず）を収容し、該制御ベース９２の他面９２１側に数個のＬＥＤ９３、９３、・・・が実装されている。制御ベース９２はラッパ形をしたケース９４に収納されており、ケース９４の一側に口金９１が連結し、他側にＬＥＤ９３、９３、・・・を覆う光透過性カバー９５が取り付けられている。
【考案の概要】
【考案が解決しようとする課題】
【０００４】
従来のＬＥＤランプ９において、数個のＬＥＤ９３、９３、・・・が制御ベース９２の他面９２１の中央部を中心とする略同一円上にそれぞれほぼ同間隔、且つ同一平面上に配置されているので、カバー９５から外方に透過する光束が約１２０°しかなく、照射方向性がかなり限られているため、白熱電球のような広角な照射光束を得られないという欠点を有する。
【０００５】
本考案は、前記問題点に鑑みてなされたものであり、広角な照射光束を有するＬＥＤランプを提供することを目的とする。
【課題を解決するための手段】
【０００６】
前記目的を解決するために、本考案のＬＥＤランプは、外部のランプホルダーに軸線方向沿いに装着する口金と、前記軸線方向の一側が前記口金と気密に連結された中空状ハウジングとを備え、該ハウジング内に、前記口金側に収納され、前記軸線方向の一端部が前記口金に電気的に接続され、且つその他端部に前記軸線方向に垂直な平面を有する制御ベースと、前記平面から前記口金の逆側に向かって先細状に突き出た角錐体をし、前記平面に対して所定の鈍角をなす三角形斜面を有するバルブ座と、それぞれが前記制御ベースの前記平面及び、前記バルブ座の各前記斜面に取り付けられ、前記制御ベースに電気的に接続された複数のＬＥＤとが設けられていることを特徴とするＬＥＤランプを提供する。
【０００７】
前記ＬＥＤランプにおいて、さらに、光検出器が、外部の光度を検出することができるように、前記制御ベースに電気的に接続されていると共に、前記バルブ座の外面に取り付けられることが好ましい。
【０００８】
前記ＬＥＤランプにおいて、前記光検出器は、前記バルブ座の頂端部に設けられることが好ましい。
【０００９】
前記ＬＥＤランプにおいて、前記バルブ座は、複数の多角形斜面を有する角錐体又は角錐台であってもよく、円錐体又は円錐台であってもよい。
【考案の効果】
【００１０】
本考案のＬＥＤランプによれば、制御ベースの平面に、該平面に対して所定の鈍角をなす斜面を備えたバルブ座が設けられ、ＬＥＤ等を平面と斜面とに取り付けていることによって、ＬＥＤ等の照射光束が１８０°以上に達することができ、従来のＬＥＤランプよりも広角な照射光束を得ることができる。また、光検出器をバルブ座の頂端部に取り付けていることによって、外部の光度に応じて、自動的にＬＥＤ等の明るさを調整することができる。また、平面からバルブ座が突き出て設けられていることによって、ＬＥＤ等の制御回路の配線スペースを広げることができ、配置の自由度を高めることができる。
【図面の簡単な説明】
【００１１】
【図１】本考案の口金付ＬＥＤランプに係る第１の実施形態を示す斜視図である。
【図２】図１のＬＥＤランプの側面図である。
【図３】突出錐体の他例を示す斜視図である。
【図４】本考案の口金付ＬＥＤランプに係る第２の実施形態を示す側面図である。
【図５】図４のＬＥＤランプの発光側の上面図である。
【図６】従来の口金付ＬＥＤランプの一例を示す斜視図である。
【考案を実施するための形態】
【００１２】
本考案の実施の形態を添付図面に基づいて以下に説明する。
【実施例１】
【００１３】
図１は、本考案の口金付ＬＥＤランプに係る第１の実施形態を示す斜視図、図２は、図１のＬＥＤランプの側面図である。図中、ＬＥＤランプ１は、外部のランプホルダー（図示せず）に軸線Ｚ方向沿いに装着する口金３と、軸線Ｚ方向の一側が口金３と気密に連結された中空状ハウジングとを備えている。該ハウジングは、口金３側のラッパ形状をしたケース２と、口金３の反対側のカバー８とに２分割されており、ケース２内に、軸線方向の一端部が口金３に電気的に接続された制御ベース４を収納しており、制御ベース４の軸線Ｚ方向に垂直な平面４１からカバー８に向かって突き出た錐体又は錐台をしたバルブ座５と、それぞれが制御ベース４の他端部にある平面４１及びバルブ座５の各斜面５１、５１、・・・に取り付けられ、制御ベース４に電気的に接続された複数のＬＥＤ６１、６１、・・・、６２、６２、・・・（以下、「ＬＥＤ等６」という）と、バルブ座５の頂端部に取り付けられ、制御ベース４に電気的に接続された光検出器７と、が設けられている。
【００１４】
カバー８は、光透過性のものを用い、ＬＥＤ等６を覆うようにケース２に気密に取り付けられている。
【００１５】
制御ベース４の内部には、口金３とＬＥＤ等６とに電気的に接続され、口金３からの電力を受けると、ＬＥＤ等６を駆動させて発光させる制御回路が内蔵されており、バルブ座５は、光透過性カバー８側の平面４１から口金３の逆側に向かって突き出ている。平面４１にＬＥＤ等６における一部６１、６１、・・・が制御回路と電気的に接続されるように取り付けられている。
【００１６】
バルブ座５は、この例において、三角形の斜面５１、５１、・・・を有し、軸線Ｚ方向に垂直な平面が四角形で、且つ制御ベース４からカバー８に向かって先細状に突き出た四角錐体である。ＬＥＤ等６における他部６２はそれぞれ、対応する斜面５１、５１、・・・に制御回路と電気的に接続されるように取り付けられている。なお、バルブ座５は、四角錐体でなくても、三角、五角などの多角錐体、または円錐体（図３）であっても良い。
【００１７】
光検出器７は、外部の光度を検出することができるように、バルブ座５のカバー８側の外面、好ましくは頂端部５２に取り付けられ、制御ベース４内の制御回路に電気的に接続されている。光検出器７は、外部の明るさを検出し、第１の所定値以下であると、制御回路が駆動されて制御ベース４の平面４１にあるＬＥＤ６１を点灯させ、第２の所定値以下であると、制御回路が駆動されてＬＥＤ６１とバルブ座５の斜面５１、５１、・・・にあるＬＥＤ６２とを点灯させるようにトリガされる構成となっている。
【００１８】
なお、光検出器７の光検出及び制御回路への駆動の動作は、従来と同様であるので、これらの動作の説明は省略する。この例において、２つの所定値を設定しているが、外部の明るさが所定値よりも以下になると、ＬＥＤ等６のすべてが点灯するように１つの所定値だけを設定してもよい。また、光束の調整が必要でない場合、光検出器７を取り付けなくてもよい。
【００１９】
以上の構成により、平面４１及び斜面５１のＬＥＤ等６の照射光束が１８０°に達することができ、従来のＬＥＤランプよりも広角な照射光束を得ることができる。
【実施例２】
【００２０】
図４は、本考案の口金付ＬＥＤランプに係る第２の実施形態を示す側面図、図５は、図４のＬＥＤランプの発光側の上面図である。この形態のＬＥＤランプ１Ａは、前記形態のＬＥＤランプ１とほぼ同じ構成であり、バルブ座５Ａの構成が異なる。なお、同じ要素については同じ符号を付し、詳しい説明を省略する。
【００２１】
バルブ座５Ａは、複数の台形状の斜面５１、５１、・・・を有し、制御ベース４からカバー８に向かって先細状に突き出た角錐台をしたバルブ座を用いており、この例において、一例として六角錐台のバルブ座を用いるが、これに限らず、円錐台又は、三角、五角などの多角錐台でも良い。なお、この例において、各斜面５１は平面４１に対して１２０°傾くように構成されている。ＬＥＤ等６の一部６１、６１、・・・は平面４１の縁部に、他部６２、６２、・・・は、各斜面５１に１個ずつ取り付けられている。光検出器７は、バルブ座５Ａの頂端部５２の平面に取り付けられている。
【００２２】
以上の構成により、平面４１及び斜面５１のＬＥＤ等６の照射光束が２４０°に達することができ、従来のＬＥＤランプよりも広角な照射光束を得ることができる。
【００２３】
以上により、制御ベース４のカバー８側の平面４１に、該平面４１に対して所定の鈍角をなす斜面５１を備えたバルブ座５が突き出るように設けられ、ＬＥＤ等６を平面４１と斜面５１とに取り付けていることによって、ＬＥＤ等６の照射光束が１８０°以上に達することができ、従来のＬＥＤランプよりも広角な照射光束を得ることができる。また、光検出器７をバルブ座５／５Ａの頂端部に取り付けていることによって、周りの光量に応じて、自動的にＬＥＤ等６の明るさを調整することができる。また、平面４１から突き出たバルブ座５が設けられていることによって、ＬＥＤ等６の制御回路の配線スペースを広げることができ、配置の自由度を高めることができる。
【産業上の利用可能性】
【００２４】
本考案のＬＥＤランプは、照度が大きい照明設備に有用である。
【符号の説明】
【００２５】
１、１Ａ    ＬＥＤランプ
３    口金
２    ケース
４    制御ベース
４１    平面
５、５Ａ    バルブ座
５１    斜面
６、６１、６２    ＬＥＤ
７    光検出器
８    カバー
５２    頂端部
【図１】
0003159791.tif 000003
【図２】
0003159791.tif 000004
【図３】
0003159791.tif 000005
【図４】
0003159791.tif 000006
【図５】
0003159791.tif 000007
【図６】
0003159791.tif 000008